(57)【要約】【課題】家屋に配設された表示システムにおいて既存の表示装置等を利用して停電時に通常時よりも高い輝度にて発光させる。【解決手段】所定の第１輝度にて発光部を発光させることにより所定の第１装置に関する情報を発光表示するように構成され且つ家屋に配設された表示装置と、表示装置の作動を制御するように構成された制御装置と、を備える表示システムであって、系統電力を検出する系統電力検出装置を更に備え、系統電力検出装置による検出結果に基づいて系統電力が供給されている状態にあると判断される場合は第１輝度にて発光部を発光させ、系統電力が供給されていない状態にあると判断される場合は第１輝度よりも高い第２輝度にて発光部を発光させるように制御装置が構成されている、表示システム。【選択図】図１
2020193751.tif 000002
【特許請求の範囲】
【請求項１】
所定の輝度である第１輝度にて発光部を発光させることにより所定の装置である第１装置に関する情報を発光表示することができるように構成され且つ家屋に配設された表示装置と、前記表示装置の作動を制御するように構成された制御装置と、を備える表示システムであって、
系統電力を検出するように構成された系統電力検出装置を更に備え、
前記制御装置は、
前記系統電力検出装置による検出結果に基づいて前記系統電力が供給されている状態である通常状態にあると判断される場合は、前記第１輝度にて前記発光部を発光させる制御である第１制御を実行し、
前記系統電力検出装置による検出結果に基づいて前記系統電力が供給されていない状態である停電状態にあると判断される場合は、前記第１輝度よりも高い第２輝度にて前記発光部を発光させる制御である第２制御を実行する、
ように構成されている、
表示システム。
【請求項２】
請求項１に記載された表示システムであって、
前記表示装置は、液晶ディスプレイ、有機ＥＬディスプレイ、プラズマディスプレイ及び表示灯からなる群より選ばれる１つ以上の表示装置である、
表示システム。
【請求項３】
請求項１又は請求項２に記載された表示システムであって、
前記家屋における消費電力を検出するように構成された消費電力検出装置を更に備え、
前記制御装置は、前記停電状態にあると判断される場合であっても第１条件が成立しない場合は前記第１制御を実行するように構成されており、
前記第１条件は、現時点以前の所定の期間において前記第１装置に対する操作が実行された状況である第１状況並びに現時点以前の所定の期間において前記消費電力検出装置によって検出される前記家屋における消費電力が所定の閾値である第１閾値よりも大きい期間が含まれる状況である第２状況からなる群である第１活動状況群より選ばれる少なくとも１つの状況が認められる場合に成立する所定の条件である、
表示システム。
【請求項４】
請求項３に記載された表示システムであって、
前記第１装置としての給湯機器及び／又は空調設備を備え、
前記第１条件は、前記第１状況、前記第２状況、現時点以前の所定の期間に前記給湯機器及び／又は前記空調設備の電源がオンになっていた期間が含まれる状況である第３状況、並びに現時点以前の所定の期間に前記給湯機器による給湯及び／又は前記空調設備による空調が実行された状況である第４状況からなる群である第２活動状況群より選ばれる少なくとも１つの状況が認められる場合に成立する所定の条件である、
表示システム。
【請求項５】
請求項４に記載された表示システムであって、
前記制御装置は、前記給湯機器及び／又は前記空調設備の電源が何れもオフになっている場合は、前記発光部を発光させない制御である第３制御を前記第１制御に代えて実行するように構成されている、
表示システム。
【請求項６】
請求項１乃至請求項５の何れか１項に記載された表示システムであって、
現在時刻を取得するように構成された時刻取得装置を更に備え、
前記制御装置は、前記停電状態にあると判断される場合であっても、前記時刻取得装置によって取得される現在時刻が所定の時間帯である第１時間帯に入る場合は前記第１制御を実行するように構成されている、
表示システム。
【請求項７】
請求項１乃至請求項６の何れか１項に記載された表示システムであって、
前記表示装置は、人感センサ及び照度センサを更に備え、
前記制御装置は、少なくとも前記停電状態にあると判断される場合において、前記人感センサによる検出結果に基づいて前記人感センサの検出範囲内に人が居ると判断され且つ前記照度センサによる検出結果に基づいて前記照度センサの設置箇所における照度が所定の閾値である第２閾値未満であると判断される場合は前記第１輝度よりも高い第３輝度にて前記発光部を発光させる制御である第４制御を実行するように構成されている、
表示システム。
【請求項８】
請求項７に記載された表示システムであって、
前記制御装置は、前記停電状態にあると判断される場合のみならず、前記通常状態にあると判断される場合においても、前記第４制御を実行するように構成されている、
表示システム。
【請求項９】
請求項１乃至請求項８の何れか１項に記載された表示システムであって、
前記第１装置としての発電装置を備え、
前記制御装置は、前記通常状態にあると判断される場合は前記系統電力を併用する系統連系運転を行い、前記停電状態にあると判断される場合は前記系統電力を併用しない自立運転を行うように、前記発電装置を制御するように構成されており、更に
前記制御装置は、前記第２制御においては前記発電装置によって供給される電力である発電電力を用いて前記発光部を発光させるように構成されている、
表示システム。
【請求項１０】
請求項７又は請求項８に記載された表示システムであって、
前記第１装置としての発電装置を備え、
前記制御装置は、前記通常状態にあると判断される場合は前記系統電力を併用する系統連系運転を行い、前記停電状態にあると判断される場合は前記系統電力を併用しない自立運転を行うように、前記発電装置を制御するように構成されており、更に
前記制御装置は、少なくとも前記停電状態において実行される前記第４制御においては前記発電装置によって供給される電力である発電電力を用いて前記発光部を発光させるように構成されている、
表示システム。
【請求項１１】
請求項１乃至請求項１０に記載された表示システムであって、
前記第１装置及び／又は前記表示装置の操作及び条件設定を行うための遠隔操作装置を更に備える、
表示システム。
【請求項１２】
請求項１１に記載された表示システムであって、
前記遠隔操作装置と前記表示装置とが一体的に構成されている、
表示システム。
【発明の詳細な説明】
【技術分野】
【０００１】
本発明は、表示システムに関する。より詳しくは、本発明は、既存の表示装置等を利用して停電時に通常時よりも高い輝度にて発光させることが可能な表示システムに関する。
【背景技術】
【０００２】
近年、例えば住居、店舗及びオフィス等の家屋には、例えば給湯、空調及び発電等を目的とする種々のシステムが導入され、例えば当該システムの操作（例えば、起動及び停止並びに運転条件の設定及び変更等）を行うための遠隔操作装置が当該家屋に配設されている。このような遠隔操作装置は、一般的に、例えば当該システムの運転状態及び運転条件等、当該システムに関する種々の情報等を表示するための表示装置を備える。また、このような表示装置の具体例としては、例えば液晶ディスプレイ、有機ＥＬディスプレイ及びプラズマディスプレイ等のディスプレイ装置並びに例えば警告灯及び運転ランプ等の表示灯等を挙げることができる。更に、これらの表示装置は、例えばフロントライト、バックライト、有機ＥＬ素子及び放電管並びに電球及びＬＥＤ等の発光部を備える。
【０００３】
そこで、当該技術分野においては、表示装置を構成する発光部を停電時における非常灯として機能させることが提案されている。例えば、特許文献１には、本体部の側面に設けられた複数の発光部を停電時においても発光させることにより停電時における給湯機器の作動状況の確認を容易にすると共に非常灯として機能させることができる給湯機器用の遠隔操作装置（リモコン）が開示されている。しかしながら、当該機器においては、消費電力の低減を目的として、発光部の輝度を低下させたり、発光部の一部のみを発光させたり、液晶ディスプレイ等の表示装置による発光型表示を禁止したりする。従って、当該機器によっては、非常灯として十分な輝度を十分な期間に亘って達成することができない。
【０００４】
また、特許文献２には、遠隔操作装置（リモコン）が備える表示装置を構成するバックライト及び／又はＬＥＤ等の発光部或いは別途設けられた発光部を発光させることにより停電時における非常灯として当該表示装置を機能させることができる給湯機器が開示されている。しかしながら、当該装置においても、消費電力の低減を目的として、発光部の輝度を低下させたり、発光部を点滅させたりする。従って、当該装置によっては、非常灯として十分な輝度を十分な期間に亘って達成することができない。
【０００５】
更に、特許文献３においては、系統電力によって充電可能な電池によって給電される小型発光体（ＬＥＤ）の集合体として構成された面状発光部を備える照明装置を浴室内のミラーキャビネットに着脱可能に配設して停電時に強制的に発光させることにより非常灯として機能させることが開示されている。しかしながら、当該照明装置は、停電時における非常灯として機能するように構成された専用の照明装置であり、一般的な浴室内のミラーキャビネットにおける既存の照明装置ではない。従って、例えばコストの増大及び構成の複雑化等の問題に繋がる虞がある。
【先行技術文献】
【特許文献】
【０００６】
【特許文献１】特開２０１６−０７２７６１号公報
【特許文献２】特開２０１１−２３７１３１号公報
【特許文献３】特開２００１−０２３４３３号公報
【発明の概要】
【発明が解決しようとする課題】
【０００７】
上述したように、当該技術分野においては、既存の表示装置等を利用して停電時に通常時よりも高い輝度にて発光させることができる新たな技術に対する要求が存在する。
【課題を解決するための手段】
【０００８】
そこで、本発明者は、鋭意研究の結果、家屋に配設された表示システムにおいて、停電状態にあると判断される場合は、既存の表示装置を構成する発光部を通常時よりも高い輝度にて発光させることにより、停電時における非常灯として機能させることができることを見出した。
【０００９】
上記に鑑み、本発明に係る表示システム（以降、「本発明システム」と称呼される場合がある。）は、表示装置と、制御装置と、を備える。表示装置は、所定の輝度である第１輝度にて発光部を発光させることにより所定の装置である第１装置に関する情報を発光表示することができるように構成され且つ家屋に配設されている。制御装置は、表示装置の作動を制御するように構成されている。
【００１０】
本発明システムは、系統電力を検出する系統電力検出装置を更に備える。そして、制御装置は、系統電力検出装置による検出結果に基づいて通常状態にあると判断される場合は第１制御を実行し、系統電力検出装置による検出結果に基づいて停電状態にあると判断される場合は第２制御を実行するように構成されている。通常状態は系統電力が供給されている状態であり、第１制御は第１輝度にて発光部を発光させる制御である。一方、停電状態は系統電力が供給されていない状態であり、第２制御は第１輝度よりも高い第２輝度にて発光部を発光させる制御である。
【００１１】
好ましくは、本発明システムにおいて、表示装置は液晶ディスプレイ、有機ＥＬディスプレイ、プラズマディスプレイ及び表示灯からなる群より選ばれる１つ以上の表示装置であり、発光部はこれらの表示装置が備える発光素子である。
【発明の効果】
【００１２】
上記のように、本発明システムにおいては、停電時には、通常時の輝度である第１輝度よりも高い第２輝度にて表示装置の発光部を発光させる。表示装置の発光部は当該システムにおける既存の構成要素である。従って、本発明によれば、既存の表示装置等を利用して停電時に通常時よりも高い輝度にて発光させることができる。
【００１３】
本発明の他の目的、他の特徴及び付随する利点は、以下の図面を参照しつつ記述される本発明の各実施形態についての説明から容易に理解されるであろう。
【図面の簡単な説明】
【００１４】
【図１】本発明の第１実施態様に係る表示システム（第１システム）の構成の一例を示す模式的なブロック図である。
【図２】第１システムが備える制御装置によって実行される発光部の制御ルーチンにおける処理の流れの一例を示すフローチャートである。
【図３】第１システムが備える制御装置によって実行される発光部の制御ルーチンにおける処理の流れの他の一例を示すフローチャートである。
【図４】本発明の第２実施形態に係る表示システム（第２システム）が備える制御装置によって実行される発光部の制御ルーチンにおける処理の流れの一例を示すフローチャートである。
【図５】本発明の第４実施形態に係る表示システム（第４システム）が備える制御装置によって実行される発光部の制御ルーチンにおける処理の流れの一例を示すフローチャートである。
【図６】本発明の第５実施形態に係る表示システム（第５システム）が備える制御装置によって実行される発光部の制御ルーチンにおける処理の流れの一例を示すフローチャートである。
【図７】本発明の第６実施形態に係る表示システム（第６システム）の構成の一例を示す模式的なブロック図である。
【図８】第６システムにおいて実行されるセンサーライトとしての発光部の制御ルーチンにおける処理の流れの一例を示すフローチャートである。
【図９】本発明の第７実施形態に係る表示システム（第７システム）の構成の１つの例を示す模式的なブロック図である。
【図１０】第７システムの構成のもう１つの例を示す模式的なブロック図である。
【図１１】本発明の第８実施形態に係る表示システム（第８システム）の構成の１つの例を示す模式的なブロック図である。
【図１２】第８システムの構成のもう１つの例を示す模式的なブロック図である。
【発明を実施するための形態】
【００１５】
《第１実施形態》
以下、本発明の第１実施形態に係る表示システム（以降、「第１システム」と称呼される場合がある。）について説明する。
【００１６】
〈構成〉
第１システムは、表示装置と、制御装置と、を備える表示システムである。表示装置は、所定の輝度である第１輝度にて発光部を発光させることにより所定の装置である第１装置に関する情報を発光表示することができるように構成され且つ家屋に配設されている。当該要件を満たす限り、表示装置の構成は特に限定されない。このような表示装置の具体例としては、例えば液晶ディスプレイ、有機ＥＬディスプレイ及びプラズマディスプレイ等のディスプレイ装置並びに例えば警告灯及び運転ランプ等の表示灯等を挙げることができる。また、このような表示装置が備える発光部の具体例としては、例えばフロントライト、バックライト、有機ＥＬ素子及び放電管並びに電球及びＬＥＤ等の発光部等を挙げることができる。好ましくは、第１システムにおいて、表示装置は液晶ディスプレイ、有機ＥＬディスプレイ、プラズマディスプレイ及び表示灯からなる群より選ばれる１つ以上の表示装置であり、発光部はこれらの表示装置が備える発光素子である。更に、家屋において表示装置が配設される箇所の具体例としては、例えば、居間、台所及び浴室等を挙げることができるが、これらに限定されない。
【００１７】
第１輝度は、例えば、第１システムの通常の運転状態において表示装置による発光表示を行うのに必要とされる所定の輝度である。このような第１輝度は、予め定められた固定の輝度であってもよく、或いは、例えば表示装置の周辺における照度等に応じて変化するように定められた可変の輝度であってもよい。
【００１８】
第１装置は、例えば第１装置の運転状態及び運転条件等、第１装置に関する種々の情報が第１システムによって表示される装置である。このような第１装置の具体例としては、例えば給湯機器、空調設備及び発電装置等を挙げることができる。第１装置が給湯機器である場合、第１装置に関する情報の具体例としては、例えば、給湯温度、（湯沸器等の）加熱手段の作動の有無及び時刻等を挙げることができる。第１装置が空調設備である場合、第１装置に関する情報の具体例としては、例えば、設定温度（目標温度）、送風量及び時刻等を挙げることができる。第１装置が発電装置である場合、第１装置に関する情報の具体例としては、例えば、発電装置によって発電（供給）されている電力の大きさ、発電装置の発電機を駆動する動力源のための燃料の残量、発電装置が備える蓄電池の充電率、系統電源から供給されている系統電力の大きさ、及び時刻等を挙げることができる。
【００１９】
制御装置は、表示装置の作動を制御するように構成されている。当該要件を満たす限り、制御装置の構成は特に限定されない。例えば、制御装置は、マイクロコンピュータを主要部として備える電子制御装置（ＥＣＵ：Ｅｌｅｃｔｒｏｎｉｃ  Ｃｏｎｔｒｏｌ  Ｕｎｉｔ）として実装され得る。この場合、制御装置は、各種センサ等の検出手段からの検出信号を受信するための入力ポート及び第１システムの構成要素への指示信号を送信するための出力ポート等を備える。本明細書において、マイクロコンピュータは、ＣＰＵとＲＯＭ及びＲＡＭ等のデータ記憶装置を含み、ＣＰＵはＲＯＭに格納されたインストラクション（プログラム）に基づき、検出信号を受信し、各種演算処理を実行し、指示信号を送信することにより、各種機能を実現するように構成されている。
【００２０】
第１システムは、系統電力検出装置を更に備える。系統電力検出装置は系統電力を検出するように構成されている。より具体的には、系統電力検出装置は、少なくとも系統電源からの電力供給の有無を検出するように構成されている。後述するように、系統電源から家屋に供給される電力の大きさを検出する必要がある場合は、系統電力検出装置は、系統電源から家屋に供給される電力の大きさに相関を有する検出値（例えば、電流値及び電圧値等）を取得するように構成され得る。このような要件を満たす限り、系統電力検出装置の構成は特に限定されない。このような系統電力検出装置の具体例としては、例えば、系統電力を分電盤から家屋へと供給するための電源ケーブルに取り付けられた変流器（ＣＴ）又は変圧器（ＶＴ）等の計器用変成器等を挙げることができる。
【００２１】
制御装置は、系統電力検出装置による検出結果に基づいて通常状態にあると判断される場合は第１制御を実行し、系統電力検出装置による検出結果に基づいて停電状態にあると判断される場合は第２制御を実行するように構成されている。通常状態は系統電力が供給されている状態であり、第１制御は上述した第１輝度にて発光部を発光させる制御である。一方、停電状態は系統電力が供給されていない状態であり、第２制御は第１輝度よりも高い第２輝度にて発光部を発光させる制御である。
【００２２】
上記のように、第１システムにおいては、停電状態にあると判断される場合、既存の構成部材である表示装置を構成する発光部を通常時の輝度（第１輝度）よりも高い輝度（第２輝度）にて発光させる。このように、停電状態にあると判断される場合において第２輝度にて発光部を発光させるための電力は、停電状態において第１システムが利用可能な系統電力以外の電力（以降、「非系統電力」と称呼される場合がある。）である限り、特に限定されない。このような非系統電力の具体例としては、例えば、一次電池、二次電池、キャパシタ及び発電装置等によって供給される電力を挙げることができる。
【００２３】
尚、制御装置としての上述したような機能は、第１システムの何れか１つの構成要素に配設された１つの制御装置によって達成されていてもよく、第１システムの何れか１つの構成要素に配設された複数の制御装置によって分散的に達成されていてもよく、或いは第１システムの複数の構成要素に配設された複数の制御装置によって分散的に達成されていてもよい。具体的には、制御装置としての機能は、例えば、第１システムを構成する第１装置を含む本体部に配設された１つの制御装置によって達成されていてもよく、第１システムの本体部に配設された複数の制御装置によって分散的に達成されていてもよく、或いは第１システムの本体部及び表示装置に配設された複数の制御装置によって分散的に達成されていてもよい。
【００２４】
また、第１システムは、第１装置及び／又は表示装置の操作を行うための遠隔操作装置を更に備えていてもよい。この場合、遠隔操作装置と表示装置とが一体的に構成されていてもよい。このような遠隔操作装置は、第１装置及び／又は表示装置の操作（例えば、起動及び停止並びに運転条件の設定及び変更等）を行うための操作部（例えば、ボタン及びスイッチ等）を備える。このような操作部は、液晶ディスプレイ等の表示部とは別個に設けられたボタン及びスイッチ等の部材によって構成されていてもよく、或いはタッチパネル機能を有する液晶ディスプレイ等の表示部によって表示されるオブジェクト（例えば、アイコン及びボタン等）等によって構成されていてもよい。
【００２５】
ここで、第１システムの構成の一例につき、図面を参照しながら更に詳しく説明する。図１は、第１システムの構成の一例を示す模式的なブロック図である。図１に示す第１システム１０１は、第１装置１１を含む本体部１０と、表示装置２０と、系統電力検出装置３０と、制御装置４０と、を備える。図１に示す第１装置１０は空調設備であるとする。
【００２６】
表示装置２０は、所定の輝度である第１輝度にて発光部２１を発光させることにより第１装置１０に関する情報を発光表示することができるように構成されており且つ図示しない家屋に配設されている。図１に示す表示装置２０は液晶ディスプレイであり、当該液晶ディスプレイは発光部２１としてバックライトを備える。また、図１に示す例においては、表示装置２０は表示灯を更に備え、当該表示灯は発光部２２としてＬＥＤを備える。更に、図１に示す表示装置２０は、第１装置１１の操作を行うための遠隔操作装置と一体的に構成されている。具体的には、図１に示す表示装置２０は、第１装置１１の操作を行うための操作部としてボタン２３を備える。
【００２７】
系統電力検出装置３０は系統電力２００を検出する。図１に示す系統電力検出装置３０は、系統電源２００を分電盤から家屋へと供給するための電源ケーブルに取り付けられた変流器（ＣＴ）である。
【００２８】
〈作動〉
図１に例示する第１システム１０１においては、制御装置４０が本体部１０に配設されている。制御装置４０は、前述したようなＥＣＵであり、第１装置１１及び表示装置２０の作動を制御する。図１に示す例においては、系統電力２００から本体部１０を経由して表示装置２０へと電力が供給されている（太い一点鎖線の矢印）。しかしながら、系統電力２００から表示装置２０へと電力が直接的に供給されていてもよい。
【００２９】
〈発光部の制御ルーチン〉
ところで、前述したように、第１システムにおいては、通常状態にあるか或いは停電状態にあるかに応じて、発光部の輝度を変更するように制御装置が構成されている。具体的には、系統電力検出装置３０による検出結果（細い破線の矢印）に基づいて通常状態にあると判断される場合、制御装置４０は、系統電力２００を用いて通常時の輝度である第１輝度にて発光部２１及び／又は発光部２２を発光させる（第１制御）。但し、第１システムが上述した非系統電力を利用可能である場合は、系統電力２００に代えて或いは系統電力２００と共に非系統電力を用いて発光部２１及び／又は発光部２２を第１輝度にて発光させてもよい。
【００３０】
一方、系統電力検出装置３０による検出結果（細い破線の矢印）に基づいて停電状態にあると判断される場合、制御装置４０は、非系統電力を用いて第１輝度よりも高い第２輝度にて発光部２１及び／又は発光部２２を発光させる（第２制御）。このような制御装置４０による発光部２１及び／又は発光部２２の制御は、制御装置４０と表示装置２０との間における有線又は無線による通信を介して行われる（細い一点鎖線の両矢印）。
【００３１】
ここで、制御装置４０によって実行される発光部の制御につき、図面を参照しながら更に詳しく説明する。尚、上述したように図１に例示する第１システム１０１は２種類の発光部２１及び発光部２２を備えるが、以下の説明においては、表示装置２０が備える液晶ディスプレイのバックライトである発光部２１の輝度を制御する場合について述べる。
【００３２】
図２は、第１システム１０１が備える制御装置４０によって実行される発光部２１の制御ルーチンにおける処理の流れの一例を示すフローチャートである。このような発光部の制御ルーチンは、制御装置４０としてのＥＣＵが備えるＣＰＵにより所定の間隔にて繰り返し実行されるようになっている。
【００３３】
当該ルーチンが開始されると、ＣＰＵは、ステップＳ１１０において、系統電力検出装置３０から検出信号を取得する。具体的には、ＣＰＵは、系統電力２００として当該家屋に供給されている電流の大きさに対応する信号を系統電力検出装置３０としての変流器（ＣＴ）から受信する。次に、ＣＰＵは、次のステップＳ１２０へと処理を進め、系統電力検出装置３０による検出結果に基づき、停電状態にあるか否かを判断する。具体的には、系統電力検出装置３０から取得された検出信号に基づいて、系統電力２００が供給されていない状態（停電状態）にあるか否かを判断する。
【００３４】
上記ステップＳ１２０の実行時に停電状態にある場合、ＣＰＵは、ステップＳ１２０において「Ｙｅｓ」と判断し、次のステップＳ１３０へと処理を進める。ステップＳ１３０において、ＣＰＵは、上述した第２制御を実行する。具体的には、ＣＰＵは、例えば、表示装置２０へ指示信号を送出して、非系統電力を用いて第１輝度よりも高い第２輝度にて発光部２１（液晶ディスプレイのバックライト）を発光させる。
【００３５】
一方、上記ステップＳ１２０の実行時に停電状態にはない場合（即ち、系統電力２００が供給されている状態である通常状態にある場合）は、ＣＰＵは、ステップＳ１２０において「Ｎｏ」と判断し、次のステップＳ１４０へと処理を進める。ステップＳ１４０において、ＣＰＵは、上述した第１制御を実行する。具体的には、ＣＰＵは、例えば、表示装置２０へ指示信号を送出して、系統電力２００及び／又は非系統電力を用いて第１輝度にて発光部２１を発光させる。尚、ＣＰＵは、上記のように指示信号を送出する代わりに、例えばフラグを設定する等の他の手段によって、第１制御及び第２制御の実行を表示装置２０に指示してもよい。
【００３６】
〈効果〉
上記のように、第１システムにおいては、停電時に非系統電力を用いて、通常時の輝度である第１輝度よりも高い第２輝度にて表示装置の発光部を発光させる。表示装置の発光部は一般的な表示システムにおける既存の構成要素であり、非系統電力の供給が続く限り発光部の発光を継続することができる。従って、第１システムによれば、既存の表示装置等を利用して停電時に通常時よりも高い輝度にて発光させることができる。
【００３７】
〈変形例〉
ところで、図２に示したフローチャートによって表される発光部の制御ルーチンにおいては、上記のように、通常状態にあるか或いは停電状態にあるかに応じた輝度にて発光部２１を発光させる指示信号を、第１装置１１を含む本体部１０に配設された制御装置４０から表示装置２０へと送出する。しかしながら、制御装置４０からは現時点における第１システムの状態が通常状態又は停電状態の何れであるかを示す情報のみを表示装置２０に伝達し、表示装置２０が備える制御装置（図示せず）が当該情報に基づいて発光部２１の輝度を変更するようにしてもよい。
【００３８】
図３は、上記のように本体部１０が備える制御装置４０及び表示装置２０が備える制御装置によって発光部２１の制御ルーチンを分散的に実行する場合における処理の流れの一例を示すフローチャートである。（ａ）は本体部１０が備える制御装置４０によって実行されるルーチンを表し、（ｂ）は表示装置２０が備える制御装置によって実行されるルーチンを表す。
【００３９】
（ａ）に示すルーチンが開始されると、制御装置４０としてのＥＣＵが備えるＣＰＵ（以降、「ＣＰＵ４０」と称呼される場合がある。）は、ステップＳ１１０において、系統電力検出装置３０から検出信号を取得し、次のステップＳ１２０において、系統電力検出装置３０による検出結果に基づいて停電状態にあるか否かを判断する。ここまでは図２に示したフローチャートと同様である。
【００４０】
上記ステップＳ１２０の実行時に停電状態にある場合、ＣＰＵ４０は、ステップＳ１２０において「Ｙｅｓ」と判断し、次のステップＳ１３１へと処理を進める。ステップＳ１３１において、ＣＰＵ４０は、停電状態にあることを示すフラグＦｂを立てる（フラグＦｂの値を「１」に設定する）。一方、上記ステップＳ１２０の実行時に停電状態にはない場合（即ち、系統電力２００が供給されている状態である通常状態にある場合）は、ＣＰＵ４０は、ステップＳ１２０において「Ｎｏ」と判断し、次のステップＳ１４１へと処理を進める。ステップＳ１４１において、ＣＰＵ４０は、停電状態にあることを示すフラグＦｂを下ろす（フラグＦｂの値を「０」に設定する）。尚、フラグＦｂの値は、例えば、制御装置４０としてのＥＣＵが備えるデータ記憶装置であるＲＡＭに格納される。尚、ＣＰＵ４０は、上記のように停電状態にあることを示すフラグＦｂの値を設定する代わりに、例えば停電状態にあるか否かを示す信号を表示装置２０に送出してもよい。
【００４１】
一方、（ｂ）に示すルーチンが開始されると、表示装置２０が備える制御装置としてのＥＣＵが備えるＣＰＵ（以降、「ＣＰＵ２０」と称呼される場合がある。）は、ステップＳ２１０において、フラグＦｂを参照する。具体的には、ＣＰＵ２０は、制御装置４０としてのＥＣＵが備えるデータ記憶装置であるＲＡＭにアクセスして、フラグＦｂの値を参照する。次に、ＣＰＵ２０は、次のステップＳ２２０へと処理を進め、フラグＦｂが立っているか否か（フラグＦｂの値が「１」であるか否か）を判断する。
【００４２】
上記ステップＳ２２０の実行時にフラグＦｂが立っている（フラグＦｂの値が「１」である）場合、ＣＰＵ２０は、ステップＳ２２０において「Ｙｅｓ」と判断し、次のステップＳ２３０へと処理を進める。ステップＳ２３０において、ＣＰＵ２０は、上述した第２制御を実行する。具体的には、ＣＰＵ２０は、上述した非系統電力を用いて第１輝度よりも高い第２輝度にて表示装置２０の発光部２１（液晶ディスプレイのバックライト）を発光させる。
【００４３】
一方、上記ステップＳ２２０の実行時にフラグＦｂが下りている（フラグＦｂの値が「０」である）場合は、ＣＰＵ２０は、ステップＳ２２０において「Ｎｏ」と判断し、次のステップＳ２４０へと処理を進める。ステップＳ２４０において、ＣＰＵ２０は、上述した第１制御を実行する。具体的には、ＣＰＵ２０は、系統電力を用いて第１輝度にて表示装置２０の発光部２１を発光させる。尚、ＣＰＵ２０は、上記のように停電状態にあることを示すフラグＦｂの値を参照する代わりに、例えば停電状態にあるか否かを示す信号をＣＰＵ４０から受信してもよい。
【００４４】
《第２実施形態》
以下、本発明の第２実施形態に係る表示システム（以降、「第２システム」と称呼される場合がある。）について説明する。
【００４５】
上述したように、第１システムを始めとする本発明に係る表示システム（本発明システム）においては、停電時に通常時の輝度である第１輝度よりも高い第２輝度にて表示装置の発光部を発光させる。これにより、既存の表示装置等を利用して、停電時に通常時よりも高い輝度にて発光部を発光させることができる。
【００４６】
しかしながら、例えば家屋に人が居ない場合及び家屋に人が居るものの活動してない場合（例えば、就寝中等）等、たとえ停電状態であっても非常灯が必要とされない場合がある。このような場合においてまで表示装置の発光部を高い輝度にて発光させることは、省エネルギーの観点からは好ましくない。
【００４７】
〈構成〉
そこで、第２システムは、上述した第１システムであって、停電状態にあると判断される場合であっても所定の第１条件が成立しない場合は上述した第１制御を実行するように制御装置が構成されている、表示システムである。
【００４８】
具体的には、第２システムは、上述した第１システムであって、家屋における消費電力を検出するように構成された消費電力検出装置を更に備える、表示システムである。上記「家屋における消費電力」は、基本的には、当該家屋に供給された系統電力であり、当該電力は上述した系統電力検出装置によって検出することができる。但し、上述した非系統電力を利用することが可能である場合は、系統電力検出装置によって検出された系統電力と当該家屋に供給された非系統電力との合計に基づいて、上記「家屋における消費電力」を算出することができる。
【００４９】
更に、第２システムにおいては、停電状態にあると判断される場合であっても所定の条件である第１条件が成立しない場合は上述した第１制御を実行するように制御装置が構成されている。尚、第１条件は、以下に列挙する第１状況及び第２状況からなる群である第１活動状況群より選ばれる少なくとも１つの状況が認められる場合に成立する所定の条件である。
【００５０】
第１状況：現時点以前の所定の期間において第１装置に対する操作が実行された状況。
第２状況：現時点以前の所定の期間において消費電力検出装置によって検出される家屋における消費電力が所定の閾値である第１閾値よりも大きい期間が含まれる状況。
【００５１】
第１状況における「所定の期間」は、例えば、第２システムが備える表示装置が配設されている家屋において人が活動している場合に想定される第１装置に対する操作の発生頻度等に基づいて適宜設定することができる。また、「第１装置に対する操作」とは、例えば第１装置の起動及び停止並びに運転条件の設定及び変更、表示装置における表示内容の切り替え等を目的とする遠隔操作装置の操作等を指す。
【００５２】
第２状況における「所定の期間」は、例えば、第２システムが備える表示装置が配設されている家屋において人が活動している場合に使用が想定される電気的負荷（例えば、家電製品等）の使用頻度等に基づいて適宜設定することができる。また、「家屋における消費電力」は、上述したように、基本的には、当該家屋に供給された系統電力であり、当該電力は上述した系統電力検出装置によって検出することができる。但し、上述した非系統電力を利用することが可能である場合は、系統電力検出装置によって検出された系統電力と当該家屋に供給された非系統電力との合計に基づいて「家屋における消費電力」を算出することができる。
【００５３】
更に、「第１閾値」は、第２システムが備える表示装置が配設されている家屋において人が活動している場合（例えば、日中等）に想定される消費電力又は当該家屋において人が活動していない場合（例えば、就寝中等）に想定される当該家屋における消費電力に基づいて適宜設定することができる。具体的には、例えば、当該家屋における就寝中に想定される消費電力の大きさにバラツキ等を考慮したマージンを加えた値を第１閾値として採用することができる。尚、第２システムが備える制御装置は、当該家屋における日々の電力の消費状況を学習することにより、上記のような消費電力の想定及び第１閾値の設定を行うように構成されていてもよい。
【００５４】
第１状況及び第２状況の少なくとも何れか一方の状況が認められる場合、第１条件が成立する。この場合、第２システムが備える表示装置が配設されている家屋において人が活動している可能性が高い。一方、第１状況及び第２状況の何れの状況も認められない場合、第１条件が成立しない。この場合、第２システムが備える表示装置が配設されている家屋において人が活動している可能性が低い。
【００５５】
上記のように、第２システムが備える制御装置は、停電状態にあると判断される場合であっても、所定の条件である第１条件が成立しない場合は、通常時よりも高い輝度にて発光部を発光させるのではなく（第２制御を実行せず）、通常時の輝度にて発光部を発光させる（第１制御を実行する）ように構成されている。上述した第１システムと第２システムとの相違点は、このような制御様式の違いにあり、ハードウェア構成においては両者に違いは無い。従って、以下の説明においては、第２システムが備える制御装置によって実行される発光部の制御ルーチンについて詳しく述べる。
【００５６】
〈発光部の制御ルーチン〉
図４は、第２システムが備える制御装置によって実行される発光部の制御ルーチンにおける処理の流れの一例を示すフローチャートである。図４に示すフローチャートは、系統電力検出装置による検出結果に基づいて停電状態にあるか否かを判断するステップＳ１２０と第２制御が実行されるステップＳ１３０との間に、ステップＳ１２２が追加されている点において、図２に示したフローチャートと異なる。ステップＳ１２２は、上述した第１条件が成立するか否かを判断するステップである。
【００５７】
当該ルーチンが開始されると、ＣＰＵは、ステップＳ１１０において系統電力検出装置から検出信号を取得し、次のステップＳ１２０において系統電力検出装置による検出結果に基づいて停電状態にあるか否かを判断する。
【００５８】
上記ステップＳ１２０の実行時に停電状態にはない場合（即ち、系統電力が供給されている状態である通常状態にある場合）は、ＣＰＵは、ステップＳ１２０において「Ｎｏ」と判断し、次のステップＳ１４０へと処理を進める。ステップＳ１４０において、ＣＰＵは、上述した第１制御を実行する。具体的には、ＣＰＵは、例えば、表示装置へ指示信号を送出して、系統電力を用いて第１輝度にて発光部を発光させる。
【００５９】
一方、上記ステップＳ１２０の実行時に停電状態にある場合、ＣＰＵは、ステップＳ１２０において「Ｙｅｓ」と判断し、次のステップＳ１２２への処理を進める。ステップＳ１２２において、ＣＰＵは、家屋において人が活動している可能性が高いと判断される条件である第１条件が成立しているか否かを判断する。第１条件の成立要件については既に述べた通りである。
【００６０】
上記ステップＳ１２２の実行時に第１条件が成立していない場合（即ち、家屋において人が活動している可能性が低い場合）は、ＣＰＵは、ステップＳ１２２において「Ｎｏ」と判断し、次のステップＳ１４０へと処理を進め、発電電力を用いて通常時の第１輝度にて発光部を発光させる。即ち、通常時よりも高い第２輝度にて発光部を発光させて非常灯として利用する制御は実行されない。
【００６１】
一方、上記ステップＳ１２２の実行時に第１条件が成立している場合（即ち、家屋において人が活動している可能性が高い場合）は、ＣＰＵは、ステップＳ１２２において「Ｎｏ」と判断し、次のステップＳ１４０へと処理を進める。ステップＳ１３０において、ＣＰＵは、上述した第２制御を実行する。具体的には、ＣＰＵは、例えば、表示装置へ指示信号を送出して、非系統電力を用いて第１輝度よりも高い第２輝度にて発光部（液晶ディスプレイのバックライト等）を発光させる。
【００６２】
尚、前述したように、ＣＰＵは、上記のように指示信号を送出する代わりに、例えばフラグを設定する等の他の手段によって、第１制御及び第２制御の実行を表示装置に指示してもよい。また、発電装置を含む本体部に配設された制御装置からは現時点における第１システムの状態が通常状態又は停電状態の何れであるかを示す情報及び第１条件が成立しているか否かを示す情報のみを表示装置に伝達し、表示装置が備える制御装置が当該情報に基づいて発光部の輝度を変更するようにしてもよい。
【００６３】
〈効果〉
上記のように、第２システムにおいては、停電状態にあると判断される場合であっても第１条件が成立しない場合は第１制御を実行するように制御装置が構成されている。従って、停電状態であっても、例えば家屋に人が居ない場合及び家屋に人が居るものの活動してない場合（例えば、就寝中等）等、家屋において人が活動している可能性が低く、非常灯が必要とされない場合においては、表示装置の発光部を高い輝度にて発光させる制御は実行されない。その結果、無駄なエネルギー消費を低減することができる。
【００６４】
《第３実施形態》
以下、本発明の第３実施形態に係る表示システム（以降、「第３システム」と称呼される場合がある。）について説明する。
【００６５】
本明細書の冒頭において述べたように、近年、例えば住居、店舗及びオフィス等の家屋には、例えば給湯、空調及び発電等を目的とする種々のシステムが導入され、例えば当該システムの操作を行うための遠隔操作装置が当該家屋に配設されている。このような遠隔操作装置は、一般的に、例えば当該システムの運転状態及び運転条件等、当該システムに関する種々の情報等を表示するための表示装置を備える。このような表示装置を備える表示システムにおいても、本発明を適用することができる。
【００６６】
〈構成〉
そこで、第３システムは、上述した第２システムであって、第１装置としての給湯機器及び／又は空調設備を備える、表示システムである。第３システムが備える給湯機器及び／又は空調設備の具体的な構成は特に限定されない。
【００６７】
更に、第３システムにおける第１条件は、以下に列挙する第１状況乃至第４状況からなる群である第２活動状況群より選ばれる少なくとも１つの状況が認められる場合に成立する所定の条件である。
【００６８】
第１状況：時点以前の所定の期間において第１装置に対する操作が実行された状況。
第２状況：現時点以前の所定の期間において消費電力検出装置によって検出される家屋における消費電力が所定の閾値である第１閾値よりも大きい期間が含まれる状況。
第３状況：現時点以前の所定の期間に給湯機器及び／又は空調設備の電源がオンになっていた期間が含まれる状況。
第４状況：現時点以前の所定の期間に給湯機器による給湯及び／又は空調設備による空調が実行された状況。
【００６９】
第１状況及び第２状況については、上述した第２システムに関する説明において既に説明したので、ここでの説明は省略する。
【００７０】
第３状況及び第４状況における「所定の期間」は、例えば、第３システムが備える表示装置が配設されている家屋において人が活動している場合に想定される給湯機器及び／又は空調設備に対する操作の発生頻度等に基づいて適宜設定することができる。
【００７１】
第１状況乃至第４状況の少なくとも何れか１つの状況が認められる場合、第１条件が成立する。この場合、第３システムが備える表示装置が配設されている家屋において人が活動している可能性が高い。一方、第１状況乃至第４状況の何れの状況も認められない場合、第１条件が成立しない。この場合、第３システムが備える表示装置が配設されている家屋において人が活動している可能性が低い。
【００７２】
〈効果〉
上記のように、第３システムにおいても、上述した第２システムと同様に、停電状態にあると判断される場合であっても第１条件が成立しない場合は第１制御を実行するように制御装置が構成されている。従って、停電状態であっても、例えば家屋に人が居ない場合及び家屋に人が居るものの活動してない場合（例えば、就寝中等）等、家屋において人が活動している可能性が低く、非常灯が必要とされない場合においては、表示装置の発光部を高い輝度にて発光させる制御は実行されない。その結果、無駄なエネルギー消費を低減することができる。
【００７３】
《第４実施形態》
以下、本発明の第４実施形態に係る表示システム（以降、「第４システム」と称呼される場合がある。）について説明する。
【００７４】
第３システムは、上述したように、給湯機器及び／又は空調設備を第１装置として備える。このように給湯機器及び／又は空調設備を備える本発明システムにおいても、通常状態にあると判断される場合は、非系統電力及び／又は系統電力を用いて上述した第１輝度にて発光部を発光させる制御である第１制御が実行される。一方、停電状態にあると判断される場合は、非系統電力を用いて上述した第２輝度にて発光部を発光させる制御である第２制御が実行される。また、停電状態にあると判断される場合であっても、上述した第１条件が成立しない場合は、第１制御を実行するように制御装置が構成されている。
【００７５】
ところで、上記のように第１制御が実行される状況は、通常時の輝度である第１輝度よりも高い第２輝度にて発光部を発光させる制御である第２制御を実行して表示装置の発光部を非常灯として機能させる必要性が低い状況であると言うことができる。このような状況においては、表示装置の発光部を必ずしも常に第１輝度にて発光させている必要が無い場合もあり得る。例えば、給湯機器及び／又は空調設備を備える本発明システムにおいて給湯機器及び／又は空調設備の電源が何れもオフになっている場合は、当該家屋に居る人が表示装置による表示を必要としている可能性は低いと考えられる。
【００７６】
〈構成〉
そこで、第４システムは、上述した第３システムであって、給湯機器及び／又は空調設備の電源が何れもオフになっている場合は発光部を発光させない制御である第３制御を第１制御に代えて実行するように制御装置が構成されている、表示システムである。第３制御は、例えばフロントライト、バックライト、有機ＥＬ素子及び放電管並びに電球及びＬＥＤ等の発光部への電力の供給を停止して発光部を発光させないことを含むが、それ以上の処理を含んでいてもよい。例えば、バックライトを備える液晶ディスプレイによって表示装置が構成されている場合、バックライトは消灯させるものの液晶表示は行うようにしてもよく、或いは、バックライトを消灯させると共に液晶表示をも停止してもよい。
【００７７】
〈発光部の制御ルーチン〉
ここで、第４システムにおいて実行される発光部の制御につき、図面を参照しながら更に詳しく説明する。図５は、第４システムが備える制御装置によって実行される発光部の制御ルーチンにおける処理の流れの一例を示すフローチャートである。このような発光部の制御ルーチンは、制御装置としてのＥＣＵが備えるＣＰＵにより所定の間隔にて繰り返し実行されるようになっている。
【００７８】
図５に示すフローチャートは、第１輝度にて発光部を発光させる第１制御を実行するステップＳ１４０の直前にステップＳ１２４が追加され、ステップＳ１２４において「Ｎｏ」と判断された場合における処理としてステップＳ１５０が追加されている点において、図４に示したフローチャートと異なる。従って、図５に示すフローチャートに関する以下の説明においては、主として図４に示したフローチャートとの相違点について詳しく述べる。尚、ステップＳ１２４は、給湯機器及び／又は空調設備の電源がオンになっているか否かを判断するステップである。ステップＳ１５０は、発光部を発光させない制御である第３制御を実行するステップである。
【００７９】
図５に例示するフローチャートによれば、ステップＳ１２０において停電状態ではないと判断された場合及びステップＳ１２２において第１条件が成立しないと判断された場合において、ＣＰＵは、次のステップＳ１２４へと処理を進める。ステップＳ１２４において、ＣＰＵは、給湯機器及び／又は空調設備の電源がオンになっているか否かを判断する。
【００８０】
上記ステップＳ１２４の実行時に給湯機器又は空調設備の電源がオンになっている場合、ＣＰＵは、ステップＳ１２４において「Ｙｅｓ」と判断し、次のステップＳ１４０へと処理を進める。ステップＳ１４０において、ＣＰＵは、上述した第１制御を実行する。具体的には、ＣＰＵは、例えば、表示装置へ指示信号を送出して、非系統電力又は系統電力を用いて第１輝度にて発光部を発光させる。
【００８１】
一方、上記ステップＳ１２４の実行時に給湯機器及び／又は空調設備の電源が何れもオフになっている場合（即ち、給湯機器又は空調設備の電源の何れかがオンになっている状況ではない場合）、ＣＰＵは、ステップＳ１２４において「Ｎｏ」と判断し、次のステップＳ１５０へと処理を進める。ステップＳ１５０において、ＣＰＵは、表示装置の発光部の発光を禁止する。具体的には、ＣＰＵは、例えば、表示装置の発光部への電力の供給を停止して、発光部を発光させない制御である第３制御を実行する。
【００８２】
尚、図５に示したフローチャートに含まれるステップＳ１２２は、第４システムにおいて必須のステップではない。具体的には、第２システム又は第３システムに基づく第４システムにおいて実行されるルーチンにはステップＳ１２２が含まれるが、第２システム又は第３システムに基づかない第４システムにおいて実行されるルーチンにはステップＳ１２２は含まれない。
【００８３】
〈効果〉
上記のように、第４システムにおいては、給湯機器及び／又は空調設備の電源が何れもオフになっている場合は発光部を発光させない制御である第３制御を第１制御に代えて実行するように制御装置が構成されている。従って、例えば、第４システムが備える表示装置が配設されている家屋に居る人が表示装置による表示を必要としている可能性が低いと考えられる場合において、表示装置の発光部は発光されない。その結果、無駄なエネルギー消費を更に低減することができる。
【００８４】
《第５実施形態》
以下、本発明の第５実施形態に係る表示システム（以降、「第５システム」と称呼される場合がある。）について説明する。
【００８５】
上述したように、第２システム及び第３システムにおいては、停電状態にあると判断される場合であっても所定の第１条件が成立しない場合は第１制御を実行するように制御装置が構成されている。従って、停電状態であっても、例えば家屋に人が居ない場合及び家屋に人が居るものの活動してない場合（例えば、就寝中等）等、非常灯が必要とされない場合においては、表示装置の発光部を高い輝度にて発光させる制御（第２制御）は実行されない。その結果、無駄なエネルギー消費を低減することができる。
【００８６】
しかしながら、家屋に人が居り且つ活動しているときに停電が発生した場合であっても、例えば日中の明るい時間帯等、非常灯が必要とされない状況が想定される。このような場合においてまで表示装置の発光部を高い輝度にて発光させることは、省エネルギーの観点からは好ましくない。
【００８７】
〈構成〉
そこで、第５システムは、上述した第１システム乃至第４システムの何れかであって、現在時刻を取得するように構成された時刻取得装置を更に備える、表示システムである。時刻取得手段の具体的な構成は、現在時刻を取得することが可能である限り、特に限定されない。典型的には、時刻取得装置は、例えば給湯機器及び空調設備等の第１装置或いは表示装置自体が備える時計である。
【００８８】
更に、第５システムにおいては、停電状態にあると判断される場合であっても、時刻取得装置によって取得される現在時刻が所定の時間帯である第１時間帯に入る場合は第１制御を実行するように制御装置が構成されている。即ち、第３システムが備える制御装置は、停電状態にあると判断される場合であっても、現在時刻が第１時間帯に該当する場合は、通常時よりも高い輝度にて発光部を発光させるのではなく（第２制御を実行せず）、通常時の輝度にて発光部を発光させる（第１制御を実行する）ように構成されている。
【００８９】
尚、第１時間帯は、予め定められた固定の時間帯であってもよい。この場合、第１時間帯は、例えば第５システムが備える表示装置が配設されている家屋の所在地及び季節等に応じて定められる時間帯であってもよい。或いは、第１時間帯は、例えば遠隔操作装置等を使用してユーザが任意に設定可能な可変の時間帯であってもよい。このような時間帯に応じた発光部の輝度の設定の一例を以下の表１に示す。表１に示す例においては、８時から１４時までの６時間に亘る時間帯が第１時間帯として設定されている。
【００９０】
【表１】
2020193751.tif 000003
【００９１】
〈発光部の制御ルーチン〉
ここで、第５システムにおいて実行される発光部の制御につき、図面を参照しながら更に詳しく説明する。図６は、第５システムが備える制御装置によって実行される発光部の制御ルーチンにおける処理の流れの一例を示すフローチャートである。このような発光部の制御ルーチンは、制御装置としてのＥＣＵが備えるＣＰＵにより所定の間隔にて繰り返し実行されるようになっている。
【００９２】
図６に示すフローチャートは、系統電力検出装置から検出信号を取得するステップＳ１１０の前にステップＳ１００及びステップＳ１０２が追加されている点において、図５に示したフローチャートと異なる。ステップＳ１００は時刻取得装置から現在時刻を取得するステップであり、ステップＳ１０２は取得された現在時刻が所定の時間帯である第１時間帯に入る（該当する）か否かを判断するステップである。
【００９３】
当該ルーチンが開始されると、ＣＰＵは、ステップＳ１００において時刻取得装置から現在時刻を取得し、次のステップＳ１０２において取得された現在時刻が所定の時間帯である第１時間帯に該当するか否かを判断する。現在時刻が第１時間帯に該当する場合は、ＣＰＵは、ステップＳ１０２において「Ｙｅｓ」と判断し、次のステップＳ１２４へと処理を進める。ステップＳ１２４以降の処理の流れは、図５を参照しながら説明した第４システムにおけるルーチンと同様であるので、ここでの説明は省略する。
【００９４】
一方、現在時刻が第１時間帯に該当しない場合は、ＣＰＵは、ステップＳ１０２において「Ｎｏ」と判断し、次のステップＳ１１０へと処理を進める。ＣＰＵは、ステップＳ１１０において系統電力検出装置から検出信号を取得し、次のステップＳ１２０において系統電力検出装置による検出結果に基づいて停電状態にあるか否かを判断する。これ以降の処理の流れは、図４を参照しながら説明した第２システムにおけるルーチンと同様であるので、ここでの説明は省略する。
【００９５】
尚、図６に示したフローチャートに含まれるステップＳ１２２は、第５システムにおいて必須のステップではない。具体的には、第２システム又は第３システムに基づく第５システムにおいて実行されるルーチンにはステップＳ１２２が含まれるが、第２システム又は第３システムに基づかない第５システムにおいて実行されるルーチンにはステップＳ１２２は含まれない。また、図６に示したフローチャートに含まれるステップＳ１２４は、第５システムにおいて必須のステップではない。具体的には、第４システムに基づく第５システムにおいて実行されるルーチンにはステップＳ１２２が含まれるが、第４システムに基づかない第５システムにおいて実行されるルーチンにはステップＳ１２２は含まれない。
【００９６】
〈効果〉
上記のように、第５システムにおいては、停電状態にあると判断される場合であっても、現在時刻が第１時間帯に該当する場合は、通常時よりも高い輝度にて発光部を発光させるのではなく（第２制御を実行せず）、通常時の輝度にて発光部を発光させる（第１制御を実行する）ように制御装置が構成されている。従って、例えば日中の明るい時間帯等、非常灯が必要とされない場合においては、停電時であっても表示装置の発光部を高い輝度にて発光させないようにすることができる。その結果、無駄なエネルギー消費を低減することができる。
【００９７】
《第６実施形態》
以下、本発明の第６実施形態に係る表示システム（以降、「第６システム」と称呼される場合がある。）について説明する。
【００９８】
当該技術分野においては、人感センサ及び照度センサ（光センサ）を備え、例えば夜間等の暗い状況において例えば人等の動体が検出されたときに発光部を発光させる所謂「センサーライト」が広く使用されている。このようなセンサーライトによれば、例えば家屋における廊下及びトイレ等、断続的に人が通過及び出入りする施設における安全性及び利便性を向上させたり、家屋の周囲等における防犯性を高めたりすることができる。しかしながら、このようなセンサーライトの増設は、家屋における配線等の複雑化並びに導入及び維持のためのコストの発生等の問題を招く虞がある。
【００９９】
〈構成〉
そこで、第６システムは、上述した第１システム乃至第５システムの何れかであって、人感センサ及び照度センサを表示装置が更に備える、表示システムである。人感センサとしては、当該技術分野において広く使用されているものを採用することができる。具体的には、人感センサは、光（例えば、赤外線及び可視光等）及び超音波等を利用して、所定の検出範囲内における動体（例えば、人、動物、及び乗り物等）を検出するセンサである。典型的には、赤外線を利用する人感センサが採用される。照度センサとしては、当該技術分野において広く使用されているものを採用することができる。具体的には、照度センサとしては、光電効果を利用するセンサ、光伝導型センサ、及び光励起型センサ等を挙げることができる。
【０１００】
更に、第６システムにおいては、少なくとも停電状態にあると判断される場合において、人感センサによる検出結果に基づいて人感センサの検出範囲内に人が居ると判断され且つ照度センサによる検出結果に基づいて照度センサの設置箇所における照度が所定の閾値である第２閾値未満であると判断される場合は、第１輝度よりも高い第３輝度にて発光部を発光させる制御である第４制御を実行するように、制御装置が構成されている。
【０１０１】
上記「第２閾値」は、上述したような安全性、利便性、及び防犯性の向上に必要とされる最低限度の明るさ（例えば、夕暮れ時の明るさ等）等に基づいて適宜定めることができる。また、表示装置に設けられた操作部を操作することにより利用者が第２閾値を設定したり調整したりすることができるようにしてもよい。上記「第３輝度」は、前述した第１輝度よりも高い輝度である限り特に限定されないが、上述したような安全性、利便性、及び防犯性の向上に十分な照度を達成し得る輝度であることが好ましい。また、第３輝度は、前述した第２輝度と同じであっても或いは異なっていてもよい。
【０１０２】
ここで、第６システムの構成の一例につき、図面を参照しながら更に詳しく説明する。図７は、第６システムの構成の一例を示す模式的なブロック図である。図７に示す第６システム１０６は、人感センサ２４及び照度センサ２５を表示装置２０が更に備える点を除き、図１に示した第１システム１０１と同様の構成を有する。
【０１０３】
従って、第６システム１０６の構成に関する以下の説明においては、主として第１システム１０１との相違点について詳しく述べる。上記のように、第６システム１０６が備える表示装置２０は人感センサ２４及び照度センサ２５を更に備える。従って、第６システム１０６によれば、表示装置２０の周辺における人の存在及び明るさを検知することができるので、上述したセンサーライトとして表示装置２０を機能させることができる。
【０１０４】
〈センサーライトとしての発光部の制御ルーチン〉
ここで、第６システムにおいて実行されるセンサーライトとしての発光部の制御につき、図面を参照しながら更に詳しく説明する。図８は、第６システムにおいて実行されるセンサーライトとしての発光部の制御ルーチンにおける処理の流れの一例を示すフローチャートである。尚、このようなセンサーライトとしての発光部の制御ルーチンは、上述した第１システム乃至第５システムにおいて実行される発光部の制御ルーチンよりも優先して実行される。当該制御ルーチンもまた、制御装置４０としてのＥＣＵが備えるＣＰＵにより所定の間隔にて繰り返し実行されるようになっている。
【０１０５】
当該ルーチンが開始されると、ＣＰＵは、ステップＳ３１０において、系統電力検出装置３０から検出信号を取得し、次のステップＳ３２０へと処理を進め、系統電力検出装置３０による検出結果に基づいて停電状態にあるか否かを判断する。ステップＳ３２０の実行時に停電状態にある場合、ＣＰＵは、ステップＳ３２０において「Ｙｅｓ」と判断し、次のステップＳ３３０へと処理を進める。ステップＳ３３０において、ＣＰＵは、人感センサ２４から検出信号を取得し、次のステップＳ３４０へと処理を進め、人感センサ２４による検出結果に基づいて表示装置２０の周囲に人が居るか否かを判断する。
【０１０６】
ステップＳ３４０の実行時に表示装置２０の周囲に人が居る場合、ＣＰＵは、ステップＳ３４０において「Ｙｅｓ」と判断し、次のステップＳ３５０へと処理を進める。ステップＳ３５０において、ＣＰＵは、照度センサ２５から検出信号を取得し、次のステップＳ３６０へと処理を進め、照度センサ２５による検出結果に基づいて表示装置２０の周囲が暗いか否かを判断する。具体的には、ＣＰＵは、照度センサ２５の設置箇所（即ち、表示装置２０の周囲）における照度が第２閾値未満であるか否かを判断する。
【０１０７】
ステップＳ３６０の実行時に表示装置２０の周囲の照度が第２閾値未満である場合、ＣＰＵは、ステップＳ３６０において「Ｙｅｓ」と判断し、次のステップＳ３７０へと処理を進める。ステップＳ３７０において、ＣＰＵは、例えば、表示装置２０へ指示信号を送出して、第１輝度よりも高い第３輝度にて発光部２１（バックライト）を発光させる（第４制御を実行する）。
【０１０８】
一方、上述したステップＳ３２０、ステップＳ３４０、及びステップＳ３６０の何れかにおいて「Ｎｏ」と判断された場合、ＣＰＵは第４制御を実行せず（ステップＳ３８０）、上述した第１システム乃至第６システムにおいて実行される発光部の制御ルーチンによる制御が実行される。
【０１０９】
〈効果〉
上記のように、第６システムが備える表示装置は人感センサ及び照度センサを備える。即ち、第６システムによれば、表示装置の周辺における人の存在及び明るさを検知することができるので、上述したセンサーライトとして表示装置を機能させることができる。従って、家屋における配線等の複雑化並びに導入及び維持のためのコストの発生等の問題を低減しつつ、例えば家屋における廊下及びトイレ等、断続的に人が通過及び出入りする施設における安全性及び利便性を向上させたり、家屋の周囲等における防犯性を高めたりすることができる。
【０１１０】
〈変形例〉
ところで、上記説明によれば、第６システムにおいては、少なくとも停電状態にあると判断される場合において、人感センサの検出範囲内に人が居ると判断され且つ照度センサの設置箇所における照度が第２閾値未満であると判断される場合に第４制御を実行するように制御装置が構成されている。しかしながら、例えば夜間等の暗い時間帯及び日中であっても暗い箇所等においては、停電状態ではなくても、上記第４制御が実行されることが望ましい場合がある。
【０１１１】
従って、変形例に係る第６システムにおいては、停電状態にあると判断される場合のみならず通常状態にあると判断される場合においても、第４制御を実行するように制御装置が構成され得る。このような変形例に係る第６システムにおいて実行されるセンサーライトとしての発光部の制御ルーチンは、例えば、図８に示したフローチャートからステップＳ３１０及びステップＳ３２０を削除したフローチャートによって表すことができる。
【０１１２】
《第７実施形態》
以下、本発明の第７実施形態に係る表示システム（以降、「第７システム」と称呼される場合がある。）について説明する。
【０１１３】
ところで、昨今では、災害時等における系統電力（商用電力）の喪失時の電源確保及び省エネルギー等を目的として、例えば内燃機関等を駆動源とする発電機、燃料電池又は太陽光発電機等を含む発電装置を備える様々な発電システムが広く使用されている。このような発電システムには、上記のような発電装置及び当該発電装置からの排熱を利用する給湯機器等の蓄熱装置を備えることによりシステム全体として高いエネルギー効率を達成する様々な熱電併給システム（コジェネレーションシステム）も含まれる。
【０１１４】
上記のような発電システムにおいては、発電装置は屋外に設置され、発電装置を操作するための遠隔操作装置は屋内の１つ以上の箇所（例えば居間等）に設置されることが一般的である。同様に、上記のような熱電併給システムにおいては、発電装置及び蓄熱装置は屋外に設置され、これらの装置の操作及び／又は条件設定を行うための遠隔操作装置は屋内の１つ以上の箇所（例えば居間、台所及び浴室等）に設置されることが一般的である。また、これらの遠隔操作装置は、例えば液晶ディスプレイ及び／又は表示灯（ランプ）等の表示装置を備え、発電装置等の作動状態等を表示するように構成されていることが一般的である。従って、このような発電システムを構成する表示システムにおいても、本発明を適用することができる。
【０１１５】
しかも、上記のような発電システムの中には、系統電力が供給されている場合は発電電力と系統電力とを併用する運転モードである系統連系運転を行い、系統電力が供給されていない場合は当該発電システムによって発電される電力である発電電力のみを使用する運転モードである自立運転を行うように構成されている発電システムが知られている。このような発電システムに本発明を適用する場合、停電状態において第１輝度よりも高い第２輝度にて発光部を発光させる制御である第２制御において、上述した非系統電力として発電電力を用いて発酵部を発酵させることができる。
【０１１６】
〈構成〉
そこで、第７システムは、上述した第１システム乃至第６システムの何れかであって、第１装置としての発電装置を備える、表示システムである。また、第７システムにおいては、通常状態にあると判断される場合は系統電力を併用する系統連系運転を行い、停電状態にあると判断される場合は系統電力を併用しない自立運転を行うように、発電装置を制御するように制御装置が構成されている。おり、更に、第２制御においては発電装置によって供給される電力である発電電力を用いて発光部を発光させるように制御装置が構成されている。
【０１１７】
発電装置の構成は、系統電力とは独立して発電することが可能である限り、特に限定されない。このような発電装置の具体例としては、例えば、ガスエンジン等の動力源によって駆動される発電機、燃料電池、太陽光発電システム等を挙げることができる。尚、太陽光発電システムを発電装置として採用する第７システムにおいて、例えば夜間等、太陽光発電を行うことができない期間における停電時に非常灯としての機能を達成するためには、蓄電装置を備える太陽光発電システムを発電装置として採用することが必要である。
【０１１８】
制御装置は、系統電力検出装置による検出結果に基づいて通常状態にあると判断される場合は系統連系運転を行い、系統電力検出装置による検出結果に基づいて停電状態にあると判断される場合は自立運転を行うように、発電装置を制御するように構成されている。これにより、第１システムは、停電等の非常時において、発電装置によって供給される電力を停電時専用の配線用差込接続器を介して家屋へと供給する家庭用発電システムとしての機能を発揮することができる。尚、「配線用差込接続器」とは、一般に、日本においては「コンセント」、米国においては「アウトレット」、英国においては「ソケット」と称呼されるものである。以下の説明においては、配線用差込接続器を「電源ソケット」と称呼することとする。
【０１１９】
また、通常状態とは系統電力が供給されている状態であり、系統連系運転とは発電電力と系統電力とを併用する運転モードである。一方、停電状態とは系統電力が供給されていない状態であり、自立運転とは発電電力のみを使用し系統電力を併用しない運転モードである。但し、系統連系運転においては、発電装置は必ずしも常に発電している必要は無い。即ち、系統連系運転は、発電電力及び系統電力の両方が供給される状態のみならず、発電装置が休止しており系統電力のみが供給される状態をも含み得る。
【０１２０】
更に、第７システムにおいては、通常状態にあると判断される場合は、発電装置によって供給される電力である発電電力及び／又は系統電力を用いて、上述した第１輝度にて発光部を発光させる制御である第１制御を実行するように制御装置が構成されている。一方、停電状態にあると判断される場合は、発電電力を用いて第１輝度よりも高い第２輝度にて発光部を発光させる制御である第２制御を実行するように制御装置が構成されている。
【０１２１】
具体的には、系統電力検出装置による検出結果に基づいて通常状態にあると判断される場合、制御装置は、例えば、発電装置によって供給される電力（発電電力）を表示装置に供給して表示装置が備える発光部を第１輝度にて発光させるか、或いは、リレー等の継電器又は発電装置を介して系統電力を表示装置に供給して表示装置が備える発光部を第１輝度にて発光させる。一方、系統電力検出装置による検出結果に基づいて停電状態にあると判断される場合、制御装置は、例えばリレー等の継電器を介して又は発電装置から直接的に発電電力を表示装置に供給して第１輝度よりも高い第２輝度にて発光部を発光させる。
【０１２２】
ここで、第７システムの構成の一例につき、図面を参照しながら更に詳しく説明する。図９は、第７システムの構成の１つの例を示す模式的なブロック図である。図９に示す第７システム１０７は、第１装置１１としての発電装置５０を含む本体部１０と、表示装置２０と、系統電力検出装置３０と、制御装置４０と、を含む。上述したように、発電装置５０の構成は、系統電力２００とは独立して発電することが可能である限り、特に限定されない。図９に示す発電装置５０は、ガスエンジンによって駆動される発電機である。
【０１２３】
表示装置２０は、所定の輝度である第１輝度にて発光部２１を発光させることにより少なくとも発電装置５０に関する情報を発光表示することができるように構成されており且つ図示しない家屋に配設されている。図９に示す表示装置２０は液晶ディスプレイであり、当該液晶ディスプレイは発光部２１としてバックライトを備える。また、図９に示す例においては、表示装置２０は表示灯を更に備え、当該表示灯は発光部２２としてＬＥＤを備える。更に、表示装置２０は、第７システム１０７に対する操作を行うための遠隔操作装置と一体的に構成されている。具体的には、表示装置２０は、第７システム１０７に対する操作を行うための操作部としてボタン２３を備える。
【０１２４】
系統電力検出装置３０は系統電力２００を検出する。図９に示す系統電力検出装置３０は、系統電源２００を分電盤から家屋へと供給するための電源ケーブルに取り付けられた変流器（ＣＴ）である。
【０１２５】
また、第７システム１０７は、２種類の電源ソケット５１及び５２を備える。電源ソケット５１は、系統電力２００が供給されている状態である通常状態において家屋が備える電気的負荷（例えば、家電製品等）に電力を供給するために用いられる日常用の電源ソケットである。一方、電源ソケット５２は、系統電力２００が供給されていない状態である停電状態において家屋が備える電気的負荷に電力を供給するために用いられる非常用の電源ソケットである。
【０１２６】
〈作動〉
図９に例示する第７システム１０７においては、制御装置４０が本体部１０に配設されている。制御装置４０は、前述したようなＥＣＵであり、第１装置１１としての発電装置５０及び表示装置２０の作動を制御する。系統電力検出装置３０による検出結果（細い破線の矢印）に基づいて通常状態にあると判断される場合、制御装置４０は発電装置５０によって発電される電力と系統電力２００とを併用する運転モードである系統連系運転を行う。前述したように、通常状態とは、系統電力２００が供給されている状態である。具体的には、図９において太い実線の矢印によって示されているように、発電装置５０によって発電される電力（発電電力）及び系統電力２００を日常用の電源ソケットである電源ソケット５１に供給することができる。
【０１２７】
但し、前述したように、系統連系運転は、発電電力及び系統電力の両方が供給される状態のみならず、発電装置５０が休止しており系統電力２００のみが供給される状態をも含み得る。発電装置５０が発電しているときには、図９の角丸長方形の中に示されている右向きの細い実線の矢印によって示されているように、発電装置５０によって発電される電力が、系統電力２００と共に、電源ソケット５１に供給される。一方、発電装置５０が発電していないときには、系統電力２００のみが電源ソケット５１に供給され、図９の角丸長方形の中に示されている左向きの細い実線の矢印によって示されているように、系統電力２００の一部が制御装置４０及び発電装置５０（第１装置１１）を含む本体部１０に供給される。
【０１２８】
一方、系統電力検出装置３０による検出結果（細い破線の矢印）に基づいて停電状態にあると判断される場合、制御装置４０は発電装置５０によって発電される電力（発電電力）のみを使用し系統電力２００を併用しない運転モードである自立運転を行う。前述したように、停電状態とは、系統電力２００が供給されていない状態である。具体的には、図９において太い破線の矢印によって示されているように、発電装置５０によって供給される発電電力が非常用の電源ソケットである電源ソケット５２に供給される。
【０１２９】
尚、図９に示す例においては、制御装置４０及び発電装置５０（第１装置１１）を含む本体部１０から表示装置２０へと電力が供給される（太い一点鎖線の矢印）。但し、通常状態においては発電装置５０によって供給される発電電力又は系統電力２００が本体部１０から表示装置２０へと供給され、停電状態においては発電電力が発電装置５０から表示装置２０へと供給される。尚、上述したように、制御装置４０は、所定の輝度である第１輝度にて発光部２１を発光させることにより第１装置１１（少なくとも発電装置５０）に関する情報を表示装置２０に発光表示させることができる。
【０１３０】
〈発光部の制御ルーチン〉
ところで、前述したように、第７システムにおいては、通常状態にあるか或いは停電状態にあるかに応じて、発光部の輝度を変更するように制御装置が構成されている。具体的には、通常状態にあると判断される場合、制御装置４０は、発電装置５０によって供給される発電電力又は系統電力２００を用いて第１輝度にて発光部２１及び／又は発光部２２を発光させる（第１制御）。一方、停電状態にあると判断される場合、制御装置４０は、発電電力を用いて第１輝度よりも高い第２輝度にて発光部２１及び／又は発光部２２を発光させる（第２制御）。このような制御装置４０による発光部２１の制御は、制御装置４０と表示装置２０との間における有線又は無線による通信を介して行われる（細い一点鎖線の両矢印）。
【０１３１】
上記のように制御装置４０によって実行される発光部の制御ルーチンの詳細については、第１システムに関する説明において、図２を参照しながら詳しく説明したものと同様であるので、ここでの説明は省略する。但し、上述したように、第７システムにおいては、第２制御において発電装置によって供給される発電電力を用いて発光部を発光させるように制御装置が構成されている。従って、第７システムによれば、既存の表示装置等を利用して、発電電力の供給が続く限り、通常時よりも高い輝度にて発光部の発光を継続することができる。
【０１３２】
〈効果〉
上記のように、第７システムにおいては、停電時に発電装置の自立運転を行うと共に発電装置によって供給される発電電力を用いて通常時の輝度である第１輝度よりも高い第２輝度にて表示装置の発光部を発光させる。表示装置の発光部は当該システムにおける既存の構成要素であり、発電装置による自立運転が継続する限り発光部の発光を継続することができる。従って、第７システムによれば、既存の表示装置等を利用して、停電時に非常灯として十分な輝度を十分な期間に亘って達成することができる。
【０１３３】
〈変形例〉
第３システムに関する説明において述べたように、本発明に係る表示システム（本発明システム）は、第１装置としての給湯機器及び／又は空調設備を備えることができる。一方、第７システム全体として高いエネルギー効率を達成する観点からは、発電装置からの排熱を利用する給湯機器を第７システムが備えることが好ましい。このような好ましい変形例に係る第７システムが備える発電装置の具体例としては、例えば、内燃機関等を駆動源とする発電機及び燃料電池等を挙げることができる。また、当該変形例に係る第７システムが備える給湯機器は、水（湯）を加熱するための機構（例えば、ボイラー等）を備えていてもよい。更に、発電装置からの排熱を効率的に利用する観点からは、当該第７システムが備える給湯機器は、熱媒体としての水（湯）を冷却するための機構（例えば、ラジエータ等）を備えていてもよい。
【０１３４】
ここで、上記変形例に係る第７システムの構成の一例につき、図面を参照しながら更に詳しく説明する。図１０は、第７システムの構成のもう１つの例を示す模式的なブロック図である。図１０に示す第７システム１０７’は、第１装置１１としての発電装置５０を含む本体部１０と表示装置２０との間にもう１つの第１装置１１としての給湯機器６０を更に備える点、給湯機器６０及び表示装置２０への電力の供給経路がリレー５３によって切り替えられるように構成されている点、及び発電装置５０が燃料電池である点を除き、図９に示した第７システム１０７と同様の構成を有する。
【０１３５】
従って、上記変形例に係る第７システム１０７’の構成に関する以下の説明においては、主として第７システム１０７との相違点について詳しく述べる。上記変形例に係る第７システム１０７’は、発電装置５０として燃料電池を備え、当該燃料電池からの排熱を利用する給湯機器６０を更に備える。即ち、上記変形例に係る第７システム１０７’は燃料電池コジェネレーションシステムである。
【０１３６】
第７システム１０７’において、表示装置２０と制御装置４０との間における通信は給湯機器６０を介して行われるようになっている（細い一点鎖線の両矢印）。また、表示装置２０への電力の供給は給湯機器６０を介して行われ（太い一点鎖線の矢印）、給湯機器６０への電力の供給経路は、制御装置４０によって制御されるリレー５３により、通常状態にあるか或いは停電状態にあるかに応じて切り替えられるようになっている（細い二点鎖線の矢印）。具体的には、通常状態においては系統電力２００がリレー５３を介して給湯機器６０へと供給され（太い実線の矢印）、停電状態においては発電装置５０によって供給される発電電力がリレー５３を介して給湯機器６０へと供給される（太い二点鎖線の矢印）。
【０１３７】
また、図１０に示す表示装置２０もまた、第７システム１０７’に対する操作を行うための遠隔操作装置と一体的に構成されている。具体的には、図１０に示す表示装置２０は、第７システム１０７’が備える発電装置５０（燃料電池）のみならず給湯機器６０に対する操作を行うための操作部としてボタン２３を備える。このような給湯機器６０に対する操作の具体例としては、例えば、給湯機器５０の電源のオン／オフの切り替え、給湯温度の設定及び変更、並びに浴槽への給湯量の設定及び変更等を挙げることができる。
【０１３８】
上述した点を除き、図１０に示す第７システム１０７’は、図９に示した第７システム１０７と同様の構成を有する。従って、発電システム又は燃料電池コジェネレーションシステムとしての基本的な作動（例えば、系統連系運転と自立運転との切り替え等）及び制御装置４０によって実行される発光部２１（及び／又は発光部２２）の制御ルーチン等についても、第７システム１０７と同様に、当該変形例に係る第７システム１０７’が備える制御装置４０によって実行することができる。
【０１３９】
上記変形例に係る第７システムにおいてもまた、停電時に発電装置の自立運転を行うと共に発電装置によって供給される発電電力を用いて通常時の輝度である第１輝度よりも高い第２輝度にて表示装置の発光部を発光させる。表示装置の発光部は当該システムにおける既存の構成要素であり、発電装置による自立運転が継続する限り発光部の発光を継続することができる。従って、当該第７システムにおいても、既存の表示装置等を利用して、停電時に非常灯として十分な輝度を十分な期間に亘って達成することができる。
【０１４０】
《第８実施形態》
以下、本発明の第８実施形態に係る表示システム（以降、「第８システム」と称呼される場合がある。）について説明する。
【０１４１】
第７システムにおいては、上述したように、停電時に発電装置の自立運転を行うと共に発電装置によって供給される発電電力を用いて通常時の輝度である第１輝度よりも高い第２輝度にて表示装置の発光部を発光させる。従って、第７システムによれば、発電装置による自立運転が継続する限り、停電時における非常灯として十分な輝度を十分な期間に亘って達成することができる。
【０１４２】
ところで、第６システムは、人感センサ及び照度センサを更に備え、人感センサの検出範囲内に人が居ると判断され且つ照度センサの設置箇所における照度が第２閾値未満であると判断される場合は、第１輝度よりも高い第３輝度にて発光部を発光させる制御である第４制御を実行する。この第４制御を停電時に実行する場合は、例えば一次電池、二次電池及びキャパシタ等の電源によって供給される電力（非系統電力）によって発光部を発光させる必要がある。これらの電源に蓄積（充電）される電力の容量には限りがある一方、第４制御においては通常時よりも高い輝度にて発光部を発光させるため発光部による消費電力は大きい。従って、停電時において第４制御を継続的に実行することが可能な期間にも限りがある。
【０１４３】
〈構成〉
そこで、第８システムは、前述した第６システムであって、第１装置としての発電装置を備える、表示システムである。また、第８システムにおいては、通常状態にあると判断される場合は系統電力を併用する系統連系運転を行い、停電状態にあると判断される場合は系統電力を併用しない自立運転を行うように、発電装置を制御するように制御装置が構成されている。更に、少なくとも停電状態において実行される第４制御においては発電装置によって供給される電力である発電電力を用いて発光部を発光させるように制御装置が構成されている。
【０１４４】
発電装置の構成については、上述した第７システムに関する説明において既に述べたので、ここでの説明は省略する。また、通常状態にあるか或いは停電状態にあるかに応じて発電装置に系統連系運転を実行させたり自立運転を実行させたりする制御についても、上述した第７システムに関する説明において既に述べたので、ここでの説明は省略する。
【０１４５】
第８システムは、上述した第６システムと同様に、人感センサ及び照度センサを更に備え、人感センサの検出範囲内に人が居ると判断され且つ照度センサの設置箇所における照度が第２閾値未満であると判断される場合は第１輝度よりも高い第３輝度にて発光部を発光させる制御である第４制御を実行するように制御装置が構成されており、更に、第４制御において発電装置によって供給される電力である発電電力を用いて発光部を発光させるように制御装置が構成されている点を除き、上述した第７システムと同様の構成を有する。
【０１４６】
図１１は、第８システムの構成の１つの例を示す模式的なブロック図である。図１１に示す第８システム１０８は、人感センサ２４及び照度センサ２５を表示装置２０が更に備える点を除き、図９に示した第７システム１０７と同様の構成を有する。また、図１２は、第８システムの構成のもう１つの例を示す模式的なブロック図である。図１２に示す第８システム１０８’は、人感センサ２４及び照度センサ２５を表示装置２０が更に備える点を除き、図１０に示した変形例に係る第７システム１０７’と同様の構成を有する。また、人感センサ及び照度センサについては、上述した第６システムに関する説明において既に述べた通りである。従って、第８システムの構成の詳細に関する説明は省略する。
【０１４７】
また、第８システムにおいて実行されるセンサーライトとしての発光部の制御ルーチンについても、上述した第６システムに関する説明において既に述べた通りであるので、ここでの説明は省略する。但し、第８システムが備える制御装置は、少なくとも停電状態において実行される第４制御においては発電装置によって供給される電力である発電電力を用いて発光部を発光させるように構成されている。
【０１４８】
〈効果〉
上記のように、第８システムは、上述した第６システムと同様に、人感センサ及び照度センサを更に備え、人感センサの検出範囲内に人が居ると判断され且つ照度センサの設置箇所における照度が第２閾値未満であると判断される場合は第１輝度よりも高い第３輝度にて発光部を発光させる制御である第４制御を実行する。但し、第８システムにおいては、少なくとも停電状態において実行される第４制御においては発電装置によって供給される電力である発電電力を用いて発光部を発光させるように制御装置が構成されている。従って、第８システムによれば、既存の表示装置等を利用して、停電時においても発電装置による自立運転が継続する限り、センサーライトとして十分な輝度での発光部の発光を十分な期間に亘って継続することができる。
【０１４９】
以上、本発明を説明することを目的として、特定の構成を有する幾つかの実施形態及び変形例につき、時に添付図面を参照しながら説明してきたが、本発明の範囲は、これらの例示的な実施形態及び変形例に限定されると解釈されるべきではなく、特許請求の範囲及び明細書に記載された事項の範囲内で、適宜修正を加えることが可能であることは言うまでも無い。
【０１５０】
例えば、本発明システムが複数の表示装置を備える場合、必ずしも全ての表示装置に対して本発明が適用されている必要は無く、一部の表示装置については停電時においても第２制御の対象外となっていてもよい。また、必ずしも本発明が適用される全ての表示装置が同一の作動をする必要は無い。例えば、第２システム又は第５システムにおいて、表示装置と一体的に構成された遠隔操作装置が備える操作部が実際に操作された表示装置については第１条件が成立したと判断し、操作部が実際に操作されなかった表示装置については第１条件が成立しなかったと判断するように、制御装置が構成されていてもよい。
【０１５１】
更に、上記説明においては、本発明の種々の実施形態に係る表示システムにおいて実行される発光部の制御ルーチンを表す種々のフローチャートを示したが、これらはあくまでも例示に過ぎない。即ち、本発明による効果が達成される限りにおいて、各フローチャートにおける各ステップの実行順序等が上記例示と異なっていてもよい。
【符号の説明】
【０１５２】
１０…本体部、１１…第１装置、２０…表示装置、２１…発光部（バックライト）、２２…発光部（ＬＥＤ）、２３…操作部、２４…人感センサ、２５…照度センサ、３０…系統電力検出装置、４０…制御装置、５０…発電装置、５１…電源ソケット（通常用）、５２…電源ソケット（非常用）、５３…リレー、６０…給湯機器、１０１，１０６，１０７，１０７’，１０８，１０８’…表示システム、２００…系統電力。
【図１】
2020193751.tif 000004
【図２】
2020193751.tif 000005
【図３】
2020193751.tif 000006
【図４】
2020193751.tif 000007
【図５】
2020193751.tif 000008
【図６】
2020193751.tif 000009
【図７】
2020193751.tif 000010
【図８】
2020193751.tif 000011
【図９】
2020193751.tif 000012
【図１０】
2020193751.tif 000013
【図１１】
2020193751.tif 000014
【図１２】
2020193751.tif 000015